(57)【特許請求の範囲】
【請求項１】
ベースと、前記ベースの上側に配置されて前記ベースと結合されるカバーとを含むハウジングと、
前記ハウジングの内部に設けられたヨークと、
前記ヨークに固定されたマグネットと、
前記ヨークの内側に配置され、レンズが設けられるキャリヤと、
前記キャリヤに結合されて前記マグネットと相互作用するコイルと、
前記キャリヤを弾性支持するスプリングと、
前記キャリヤに結合された磁性部材と、
を備え、
前記磁性部材は前記キャリヤの上面と結合され、
前記キャリヤには突起が形成され、
前記磁性部材には、前記キャリヤから回転または離脱されないように、前記突起と結合される挿入溝または挿入ホールが形成されたことを特徴とするレンズ駆動装置。
【請求項２】
前記磁性部材が前記マグネットの引力を受け、
前記コイルに印加される電流が遮断されると、前記キャリヤの底面が前記ベースと接触し、前記コイルに電流が印加されると、前記コイルと前記マグネットとの間の電磁的相互作用により前記キャリヤが上昇する請求項１に記載のレンズ駆動装置。
【請求項３】
前記スプリングは、上部スプリングと下部スプリングとを含み、
前記上部スプリングは前記キャリヤの上部及び前記カバーに固定され、前記下部スプリングは前記キャリヤの下部及び前記ベースに固定されることを特徴とする請求項１または２に記載のレンズ駆動装置。
【請求項４】
前記カバーと前記ヨークとの間に弾性を有する上部スペーサが設けられ、前記ベースと前記ヨークとの間には弾性を有する下部スペーサが設けられたことを特徴とする請求項１乃至３のいずれか１項に記載のレンズ駆動装置。
【請求項５】
前記磁性部材は、前記キャリヤの上面に結合されることを特徴とする請求項１乃至４のいずれか１項に記載のレンズ駆動装置。
【請求項６】
前記磁性部材は、リング形状で形成されたことを特徴とする請求項１乃至５のいずれか１項に記載のレンズ駆動装置。
【請求項７】
前記磁性部材は、前記突起と半径方向外側及び円周方向で接触することを特徴とする請求項１乃至６のいずれか１項に記載のレンズ駆動装置。
【請求項８】
前記磁性部材は、前記突起と半径方向外側、半径方向内側、及び円周方向で接触することを特徴とする請求項１乃至６のいずれか１項に記載のレンズ駆動装置。
【請求項９】
前記磁性部材は、前記マグネットより上側に配置されることを特徴とする請求項１乃至８のいずれか１項に記載のレンズ駆動装置。
【発明の詳細な説明】
【技術分野】
【０００１】
本発明は、レンズ駆動装置に関するものである。
【背景技術】
【０００２】
最近、電子機器の多機能化の趨勢に従ってカメラが付加的に内蔵された音響再生機、移動通信端末機などの電子機器が使われている。
【０００３】
上記電子機器は、通常的に携帯可能に小型に製作されるため、上記電子機器に内蔵されたカメラも小型に製作される。
【０００４】
一方、上記カメラにおいて、レンズが設けられたキャリヤはスプリングにより支持されるが、上記カメラを構成する部品の組立誤差またはスプリングの変形などにより上記キャリヤが定まった位置に配置されなくて、レンズの零点がずれる問題がある。
【０００５】
また、上記キャリヤがスプリングにより支持されるので、外部の衝撃により上記キャリヤが過度に流動してスプリングを変形させる問題がある。
【発明の概要】
【発明が解決しようとする課題】
【０００６】
本発明の目的は、新たな構造のレンズ駆動装置を提供することにある。
【０００７】
本発明の他の目的は、レンズが設けられたキャリヤが定まった位置に配置できるレンズ駆動装置を提供することにある。
【０００８】
本発明の更に他の目的は、レンズが設けられたキャリヤの外部の衝撃により過度に流動することを防止できるレンズ駆動装置を提供することにある。
【課題を解決するための手段】
【０００９】
本発明に従うレンズ駆動装置は、ハウジング、上記ハウジングの内部に設けられたヨーク、上記ヨークに固定されたマグネット、上記ヨークの内側に配置され、レンズが設けられるキャリヤ、上記キャリヤに結合されて上記マグネットと相互作用するコイル、上記キャリヤを弾性支持するスプリング、及び上記キャリヤに結合された磁性部材を含む。
【発明の効果】
【００１０】
本発明によれば、新たな構造のレンズ駆動装置が提供できる。
【００１１】
本発明によれば、レンズが設けられたキャリヤが定まった位置に配置できるレンズ駆動装置が提供できる。
【００１２】
本発明によれば、レンズが設けられたキャリヤの外部の衝撃により過度に流動することを防止できるレンズ駆動装置が提供できる。
【図面の簡単な説明】
【００１３】
【図１】本発明の実施形態に従うレンズ駆動装置の一部分解斜視図である。
【図２】本発明の実施形態に従うレンズ駆動装置を図１のＡ−Ａ線により切断した断面図である。
【発明を実施するための形態】
【００１４】
図面において、各層の厚さやサイズは説明の便宜及び明確性のために誇張、省略、または概略的に図示された。また、各構成要素のサイズは実際のサイズを全的に反映するのではない。
【００１５】
以下、添付の図面を参照しつつ本発明に従うレンズ駆動装置について詳細に説明する。
【００１６】
図１は本発明の実施形態に従うレンズ駆動装置の一部分解斜視図であり、図２は本発明の実施形態に従うレンズ駆動装置を図１のＡ−Ａ線により切断した断面図である。
【００１７】
図１及び図２を参照すると、内部に所定の空間が形成されたハウジング１１０が設けられる。上記ハウジング１１０は、ベース１１１と、上記ベース１１１の上側に配置されて上記ベース１１１と結合されたカバー１１５とを含む。
【００１８】
上記ベース１１１には第１貫通孔１１２が形成され、上記カバー１１５には第２貫通孔１１６が形成される。
【００１９】
上記ハウジング１１０の内周面にはヨーク１２０が固定される。上記ヨーク１２０は、ハウジング１１０に外周面が固定された四角フレーム形状の外側ヨーク１２１と、上記外側ヨーク１２１の内側に配置されたリング形状の内側ヨーク１２３と、上記外側ヨーク１２１と内側ヨーク１２３とを連結する連結ヨーク１２５と、を含む。上記外側ヨーク１２１、連結ヨーク１２５、及び内側ヨーク１２３は、一体形成されることもできる。
【００２０】
上記内側ヨーク１２３の内側には円筒形状のキャリヤ１３０が昇降可能に設けられる。上記キャリヤ１３０にはレンズ２００が結合されて、上記キャリヤ１３０の移動に従って上記レンズ２００も共に移動する。
【００２１】
上記外側ヨーク１２１の内周面にはマグネット１４０が固定され、上記キャリヤ１３０の外周面にはコイル１５０が固定されて上記マグネット１４０と対向する。したがって、上記コイル１５０に電流が供給されれば、上記コイル１５０とマグネット１４０との間に作用する電磁気力によって上記コイル１５０が上方に移動し、上記コイル１５０と結合された上記キャリヤ１３０も共に上方に移動する。
【００２２】
上記ヨーク１２０の上面と上記カバー１１５の下面との間には弾性を有するリング形状の上部スペーサ１６１が設けられ、上記ヨーク１２０の下面と上記ベース１１１の上面との間には弾性を有するリング形状の下部スペーサ１６５が各々設けられる。
【００２３】
上記上部スペーサ１６１及び下部スペーサ１６５は、弾性により上記ハウジング１１０またはヨーク１２０の寸法誤差または組立誤差を補償する。
【００２４】
上記キャリヤ１３０は、上部スプリング１７１及び下部スプリング１７５により支持される。上記コイル１５０に電流が印加されるにつれて、上記キャリヤ１３０が上昇した状態で上記コイル１５０に電流が印加されなければ、上記上部スプリング１７１及び下部スプリング１７５の復原力により上記キャリヤ１３０は元の位置に下降する。
【００２５】
上記上部スプリング１７１及び下部スプリング１７５は、直径の異なる複数のリングが相互連結された形態で形成できる。
【００２６】
上記上部スプリング１７１の外周面側は上記カバー１１５に固定され、上記カバー１１５と上記上部スペーサ１６１との間に配置され、上記上部スプリング１７１の内周面側は上記キャリヤ１３０の上側部分に固定される。
【００２７】
上記下部スプリング１７５の外周面側は上記ベース１１１に固定され、上記ベース１１１と上記下部スペーサ１６５との間に配置され、上記下部スプリング１７５の内周面側は上記キャリヤ１３０の下側部分に固定される。
【００２８】
一方、上記キャリヤ１３０には磁性部材１８０が設けられる。例えば、上記磁性部材１８０はリング形状で形成されることができ、上記キャリヤ１３０の上面に接着剤により固定できる。
【００２９】
上記磁性部材１８０は、上記磁性部材１８０に比べて下側に配置された上記マグネット１４０に吸引される力を受ける。したがって、上記磁性部材１８０が固定された上記キャリヤ１３０は下方に移動される力を受けて、上記の力により上記キャリヤ１３０の下面が上記ベース１１１の上面と密着するようになる。
【００３０】
上記キャリヤ１３０は、上記ベース１１１と接触した状態で上記マグネット１４０とコイル１５０との相互作用により上昇するが、レンズ駆動装置を構成する部品の組立誤差または外部衝撃によるスプリングの変形などにより上記キャリヤ１３０及び上記ベース１１１が定まった位置から外れる場合が発生することがある。
【００３１】
また、レンズ駆動装置に外部衝撃が加えられる場合、上記上部スプリング１７１及び下部スプリング１７５により弾性支持される上記キャリヤ１３０が過度に流動しながら上記上部スプリング１７１及び下部スプリング１７５が変形されるか他の部品が損傷される問題が発生することがある。
【００３２】
しかしながら、本発明に従うレンズ駆動装置では、上記キャリヤ１３０に上記磁性部材１８０を設置することによって、上記キャリヤ１３０が定まった位置に配置できるようにし、上記キャリヤ１３０が外部衝撃により過度に流動することを防止できる。
【００３３】
一方、上記磁性部材１８０が上記キャリヤ１３０の上でより堅く固定できるように上記キャリヤ１３０の上面には突起１３２が形成され、上記磁性部材１８０には挿入溝１８２が形成されることもできる。
【００３４】
上記磁性部材１８０の挿入溝１８２は、半径方向外側及び円周方向で上記突起１３２と接触するので、上記磁性部材１８０は上記キャリヤ１３０の上で回転または離脱されない。
【００３５】
図示してはいないが、上記磁性部材１８０にはホール形態の挿入ホールが形成されて、上記突起１３２と半径方向の外側、半径方向の内側、及び円周方向で接触することで、上記キャリヤ１３０に一層堅く固定できる。
【００３６】
以上、本発明の実施形態を中心として説明したが、これは単に例示であり、本発明を限定するのでなく、本発明が属する分野の通常の知識を有する者であれば、本発明の本質的な特性から外れない範囲で以上に例示されていない種々の変形及び応用が可能であることが分かる。例えば、本発明の実施形態に具体的に表れた各構成要素は変形して実施することができる。そして、このような変形及び応用に関連した差異点は特許請求範囲で規定する本発明の範囲に含まれるものと解釈されるべきである。
【産業上の利用可能性】
【００３７】
本発明に従うレンズ駆動装置は、多様な形態のカメラ装置に適用できる。
【図１】
0005586583.tif 000002
【図２】
0005586583.tif 000003